(57)【特許請求の範囲】
【請求項１】
ユーザに押下される操作面とは反対側の面に突出部を備える操作部と、
上記操作部が押下されることによる上記突出部の変位により押下される可動部を有するとともに、当該可動部が押下されることにより発電した電力により無線通信を行う通信モジュールと、を備え、
上記可動部は、上記通信モジュールの、対向する２つの側面に設けられ、
上記操作部は、板状部材であり、当該操作部の中間部分を支点として動作することにより、上記２つの側面のそれぞれに設けられた上記可動部のいずれかを押下するものであり、
さらに、
開口部を有し、上記通信モジュールが格納される筐体と、
上記筐体に上記通信モジュールが格納された状態で上記開口部を密閉する密閉部材と、を備え、
上記密閉部材の上記突出部と接触する部分は弾性を有しており、上記通信モジュールを密閉した上記密閉部材の外側に上記操作部が配されており、
上記可動部の上記密閉部材と対向する端部は、上記通信モジュールの上記密閉部材と対向する上面よりも低い位置に存在し、
上記可動部の端部と上記密閉部材との間に、上記変位に伴い上記可動部を押下する中間部材をさらに備え、
上記中間部材の、上記可動部と上記密閉部材との間に介在する部分の高さは、上記通信モジュールの側面の高さと押下された状態における上記可動部の高さとの差分以上である
ことを特徴とするスイッチ。
【請求項２】
上記中間部材は、
上記通信モジュールを取り囲み、かつ上記開口部の大きさよりも小さい囲繞構造を有する部分と、
上記囲繞構造を有する部分に接続され、押下されない状態において、当該部分と上記通信モジュールとの相対位置関係を維持する脚部と、を備えることを特徴とする請求項１に記載のスイッチ。
【請求項３】
上記密閉部材の、上記操作部と対向する面には、上記操作部の上記中間部分が回動可能に接続される接続部が設けられていることを特徴とする請求項１または２に記載のスイッチ。
【発明の詳細な説明】
【技術分野】
【０００１】
本発明は、スイッチに関する。
【背景技術】
【０００２】
近年、自機が発電した電力により無線通信を行う、電池不要の自己発電型（エナジーハーベスト）の無線スイッチ装置が開発されている。このような無線スイッチ装置としては、例えば図９に示すような構造を有するものが挙げられる。図９は、従来技術であり、無線スイッチ装置１０１の一例を示す図である。
【０００３】
図９に示すように、無線スイッチ装置１０１は、例えばＥｎＯｃｅａｎ社が提供するものであり、無線スイッチモジュール１１０と操作部１５０とを備えている。無線スイッチモジュール１１０は、発電レバー１１２と軸受部１１３とを備え、操作部１５０は軸部１５２を備えている。
【０００４】
無線スイッチ装置１０１では、軸受部１１３に軸部１５２が嵌め込まれ、無線スイッチモジュール１１０の上方に操作部１５０が設けられる。操作部１５０は、ユーザによってその端部付近が押下されることにより軸部１５２の周りに回動し、押下された端部付近と対向する発電レバー１１２を押下する。無線スイッチモジュール１１０は、発電レバー１１２が押下されたことを契機として発電し、発電した電力により無線通信を行う。
【０００５】
また、特許文献１には、防水処理された無線スイッチ装置が開示されている。この無線スイッチ装置は、圧電セラミック体と、両端部に鋼球が固定された鋼球支持弾性体とを有する圧電発電装置を備えている。当該装置への押圧力によって一方の鋼球を振動させ、他方の剛球を共振作用によって往復運動（振動）させる。圧電発電装置は、この往復運動により他方の剛球が圧電セラミック体を連続的に殴打して衝撃を与えることにより発電する。
【先行技術文献】
【特許文献】
【０００６】
【特許文献１】特開２００６−１２４６５号公報（２００６年１月１２日公開）
【発明の概要】
【発明が解決しようとする課題】
【０００７】
しかしながら、無線スイッチ装置１０１においては、図示しないが、例えば、操作部１５０の軸部１５２が嵌め込まれる軸受部１１３が無線スイッチモジュール１１０の上面（天面）にも配されている。また、発電レバー１１２の端部は、無線スイッチモジュール１１０の上面よりも低い位置に存在している。すなわち、複数の発電レバー１１２は、無線スイッチモジュール１１０の上面から落ち込んだ場所に設けられている。このように、無線スイッチモジュール１１０は複雑な構造を有している。
【０００８】
それゆえ、スイッチの機能を維持しつつ防水機能を有する無線スイッチ装置を実現しようとした場合、上記のとおり無線スイッチモジュール１１０の構造は複雑であるため、無線スイッチモジュール１１０自体に防水機能を持たせようとすることは困難であった。
【０００９】
また、特許文献１の無線スイッチ装置に防水処理が行われているが、特許文献１には、当該装置のどの部分に防水処理が行われているかについての具体的な開示は無い。
【００１０】
さらに、上記のような発電機構を有する圧電発電装置は直方体型のスイッチケースに格納され、複雑な構成を有する発電機構は圧電発電装置の内部にある。したがって、このような単純な外形を有する圧電発電装置に防水処理が行われるとしても、上記のような複雑な無線スイッチモジュール１１０自体に防水処理を行うことは容易には想到できない。
【００１１】
本発明者らは、鋭意研究の末、複雑な構造を有する無線スイッチモジュールを用いた無線スイッチ装置において、その機能を維持しつつ無線スイッチモジュールを防水する構造を見出すに至った。
【００１２】
本発明は、前記の問題点に鑑みてなされたものであり、その目的は、スイッチの機能を維持しつつ、通信モジュールを防水することが可能なスイッチを実現することにある。
【課題を解決するための手段】
【００１３】
（１）上記の課題を解決するために、本発明の一態様に係るスイッチは、ユーザに押下される操作面とは反対側の面に突出部を備える操作部と、上記操作部が押下されることによる上記突出部の変位により押下される可動部を有するとともに、当該可動部が押下されることにより発電した電力により無線通信を行う通信モジュールと、を備え、上記可動部は、上記通信モジュールの、対向する２つの側面に設けられ、上記操作部は、板状部材であり、当該操作部の中間部分を支点として動作することにより、上記２つの側面のそれぞれに設けられた上記可動部のいずれかを押下するものであり、さらに、開口部を有し、上記通信モジュールが格納される筐体と、上記筐体に上記通信モジュールが格納された状態で上記開口部を密閉する密閉部材と、を備え、上記密閉部材の上記突出部と接触する部分は弾性を有しており、上記通信モジュールを密閉した上記密閉部材の外側に上記操作部が配されている。
【００１４】
上記構成によれば、スイッチは、上述の可動部および操作部を有するため、ロッカースイッチとして機能する。そのロッカースイッチとして機能するスイッチにおいて、筐体、および筐体の開口部を密閉する密閉部材によって、自己発電型の通信モジュールが密閉されているとともに、密閉部材の外側に操作部が配されている。
【００１５】
それゆえ、スイッチ（すなわちロッカースイッチ）の機能を維持しつつ、通信モジュールを防水することができる。
【００１６】
（２）本発明の一態様に係るスイッチは、上記可動部の上記密閉部材と対向する端部は、上記通信モジュールの上記密閉部材と対向する上面よりも低い位置に存在し、上記可動部の端部と上記密閉部材との間に、上記変位に伴い上記可動部を押下する中間部材をさらに備えることが好ましい。
【００１７】
上記構成によれば、可動部と密閉部材との間に中間部材を設けることにより、操作部が押下された場合に、突出部によって密閉部材の上記弾性を有する部分が通信モジュール側に押し込まれることを抑制することができる。そのため、操作部が押下された場合に、密閉部材の上記部分が突出部と通信モジュールとの間に挟み込まれ、当該部分と通信モジュールとの間で摩擦が生じてしまうことを抑制することができる。それゆえ、摩擦による、スイッチの操作性の低下（操作部の押下により大きな力を要する、操作部から指が離れたにもかかわらず操作部が押下前の状態に戻らない等）を抑制することができる。
【００１８】
（３）本発明の一態様に係るスイッチでは、上記中間部材の、上記可動部と上記密閉部材との間に介在する部分の高さは、上記通信モジュールの側面の高さと押下された状態における上記可動部の高さとの差分以上であることが好ましい。
【００１９】
上記構成によれば、可動部が押下された場合に上記側面と対向しない位置に密閉部材を維持することができる。すなわち、突出部によって密閉部材の上記部分が通信モジュール側に押し込まれることを確実に防止することができる。それゆえ、上記摩擦によるスイッチの操作性の低下を確実に防止することができる。
【００２０】
（４）本発明の一態様に係るスイッチでは、上記中間部材は、上記通信モジュールを取り囲み、かつ上記開口部の大きさよりも小さい囲繞構造を有する部分と、上記囲繞構造を有する部分に接続され、押下されない状態において、当該部分と上記通信モジュールとの相対位置関係を維持する脚部と、を備えることが好ましい。
【００２１】
上記構成によれば、囲繞構造を有する中間部材に脚部を備えることにより、中間部材が押下されない状態における上記相対位置関係を維持することができる。それゆえ、操作部が押下されていないにもかかわらず、中間部材の自重により可動部が押下されてしまうことを防止することができる。
【００２２】
また、可動部が複数存在する場合に、それぞれの可動部に対応するように複数の中間部材を準備する必要が無い。そのため、中間部材を設けたスイッチを容易に製造することができる。
【００２３】
（５）本発明の一態様に係るスイッチでは、上記密閉部材の、上記操作部と対向する面には、上記操作部の上記中間部分が回動可能に接続される接続部が設けられていることが好ましい。
【００２４】
上記構成によれば、密閉部材の操作部と対向する面に上記接続部が設けられているため、密閉部材の構造によらず、操作部を回動可能にすることができる。
【発明の効果】
【００２５】
本発明の一態様によれば、スイッチの機能を維持しつつ、通信モジュールを防水することができるという効果を奏する。
【図面の簡単な説明】
【００２６】
【図１】本発明の実施形態１に係る無線スイッチ装置の概略部分断面図である。
【図２】図１に示した無線スイッチモジュールの概略斜視図である。
【図３】図１に示した無線スイッチ装置の動作を説明するために、無線スイッチ装置の外観を示す概略斜視図であり、（ａ）は自由状態の無線スイッチ装置を示す図であり、（ｂ）は動作状態の無線スイッチ装置を示す図であり、（ｃ）は（ａ）に示す無線スイッチ装置の変形例である。
【図４】図１に示した無線スイッチ装置の動作を説明するために、無線スイッチ装置の簡略化した内部構成を示す概略構成図であり、（ａ）は自由状態の無線スイッチ装置を示す図であり、（ｂ）は動作状態の無線スイッチ装置を示す図である。
【図５】本発明の実施形態２に係る無線スイッチ装置の概略部分断面図である。
【図６】図５に示した無線スイッチ装置が備える中間部材を示す概略斜視図である。
【図７】（ａ）は、図１に示した無線スイッチ装置が動作状態にあるときの、押下げられている発電レバー操作突起部および発電レバーの付近を拡大して示す部分拡大図であり、（ｂ）は、図５に示した無線スイッチ装置が動作状態にあるときの、押下げられている発電レバー操作突起部および発電レバーの付近を拡大して示す部分拡大図である。
【図８】図５に示す無線スイッチ装置の組立工程を説明するための概略斜視図である。
【図９】従来技術であり、無線スイッチ装置の一例を示す図である。
【発明を実施するための形態】
【００２７】
以下の説明において、「上側」および「下側」という用語は、それぞれユーザがスイッチ装置を手動操作する操作面側およびその反対側として規定される。また、「右側」および「左側」という用語は、それぞれユーザがスイッチ装置を手動操作するときに押下げる操作部の端部の一方側および（その反対側である）他方側として規定される。また、「前」および「後」という用語は、それぞれ上下方向および左右方向と垂直な方向における、無線スイッチ装置の一方側および他方側として規定される。したがって、以下の説明における「上」「下」「左」「右」「前」「後」という用語は、組立または設置などにおけるスイッチ装置の向きを限定するものではない。前後方向は、上下方向および左右方向に直交する方向として規定される。
【００２８】
〔実施形態１〕
本発明の実施形態１について、図１〜図４に基づいて説明すれば、以下のとおりである。
【００２９】
図１は、本発明の実施形態１に係る無線スイッチ装置１の概略部分断面図である。図１においては、無線スイッチ装置１が備える外装８０（図３に示す）を省略し、シーソ型部材５０が自由位置にある状態を示す。
【００３０】
図１に示すように、無線スイッチ装置１は、無線スイッチモジュール１０（通信モジュール）と、無線スイッチモジュール１０が格納されるケース部材３０（筐体）と、ケース部材３０の開口部３７を覆う防水部材２０（密閉部材）と、防水部材２０を上から押さえるカバー部材４０（密閉部材）と、カバー部材４０の上に配され、無線スイッチモジュール１０のタクトボタン部１１および発電レバー１２を操作するシーソ型部材５０（操作部）と、外装８０（図示せず）と、を備える。
【００３１】
（無線スイッチモジュール１０）
以下に、無線スイッチモジュール１０の構成について、図２を参照して説明する。図２は、図１に示した無線スイッチモジュール１０の概略斜視図である。
【００３２】
図２に示すように、無線スイッチモジュール１０は、本体部１７と、本体部１７の左右の側面１６（対向する２つの側面）に設けられた発電レバー１２（可動部）とを含む。本体部１７は、上面１４に配置されたタクトボタン部１１と、前後方向に伸びる無線スイッチモジュール１０の中心線上に沿って上面１４と側面１６とに配置された軸受部１３とを備える。また、図示しないが、本体部１７内部には、発電レバー１２が押下げられることにより発電する発電ユニットと、発電ユニットで発電された電力により無線通信する無線通信ユニットとを備える。
【００３３】
タクトボタン部１１は、押下げられて、互いに対向する接点が接触することにより、一時的にＯＮになるスイッチボタンである。軸受部１３は、無線スイッチモジュール１０に直接、回動する部材の軸部を嵌め込める（接続する）ことが可能な支持部である。このような、タクトボタン部１１、軸受部１３、発電ユニット、および無線通信ユニットは、公知のものを用いることができ、本明細書においては詳細に説明しない。
【００３４】
発電レバー１２は、図１にも示すように、防水部材２０およびカバー部材４０と対向する上面１４よりも低い位置にあり、発電レバー１２の最も高い部分（上端部）の高さは、左右の側面１６の高さよりも低い。上記発電レバー１２の上端部とは、シーソ型部材５０が押下げられたときに防水部材２０の発電レバー用変形部２４と接触する、防水部材２０と対向する端部である。
【００３５】
（ケース部材３０、防水部材２０およびカバー部材４０）
以下に、ケース部材３０と防水部材２０とカバー部材４０との構成について、図１を参照して説明する。
【００３６】
ケース部材３０は、無線スイッチモジュール１０を載置する底部３１と、底部３１の周囲に立ち上がっている側壁部３２と、側壁部３２の外側に伸びている鍔部３３と、シーソ型部材５０を回動可能に支持する軸受部３４（図８の（ａ）参照）と、を含む。また、ケース部材３０は、側壁部３２の上端部が開口することにより形成される開口部３７を有しており、側壁部３２は、無線スイッチモジュール１０の上面１４と略同じ高さである。ケース部材３０は、水が透過しない材質から形成されており、例えば、樹脂成型品である。
【００３７】
防水部材２０は、ケース部材３０の側壁部３２の上に位置する外縁部２１と、無線スイッチモジュール１０の本体部１７の上面１４に配置された軸受部１３（図２参照）の上に開口する開口部２２（図８の（ｃ）参照）と、発電レバー１２の上に位置する発電レバー用変形部２４と、タクトボタン部１１の上に位置するタクトボタン用変形部２５と、を含む。発電レバー用変形部２４は、発電レバー操作突起部５４（突出部）の形状にあわせて下向きに凸に突設されている。すなわち、防水部材２０は、発電レバー操作突起部５４と接触する部分を含む。また、タクトボタン用変形部２５は、上向きに凸になるように突設されている。なお、発電レバー用変形部２４およびタクトボタン用変形部２５は突設されている必要はなく、発電レバー１２およびタクトボタン部１１をそれぞれ押下可能であればよい。防水部材２０は、容易に繰り返し変形可能であり、弾性を有し、かつ水が透過しない材質（例えばゴム）から形成されている。
【００３８】
カバー部材４０は、シーソ型部材５０を回動可能に支持する軸受部４１（接続部）と、防水部材２０の外縁部２１を押さえる外縁部４２と、を含む。軸受部４１の下側には、防水部材２０の開口部２２を塞ぐ閉塞部が設けられている。この閉塞部は、開口部２２を通って、無線スイッチモジュール１０の上面１４にある軸受部１３に嵌め込まれ（接続され）、無線スイッチモジュール１０に対してカバー部材４０を固定する。カバー部材４０の軸受部４１と外縁部４２とは、相対位置が変形しないように剛直に連結されている。カバー部材４０の外縁部４２と閉塞部との間は、防水部材２０の発電レバー用変形部２４およびタクトボタン用変形部２５が上側に露出するように、開口している。この開口により、弾性を有する発電レバー用変形部２４およびタクトボタン用変形部２５は、シーソ型部材５０の発電レバー操作突起部５４およびタクトボタン操作突起部５３に接触することができる。そのため、無線スイッチ装置１のスイッチとしての機能を維持することができる。カバー部材４０は、水が透過しない材質から形成されており、例えば、樹脂成型品である。
【００３９】
（シーソ型部材５０）
以下に、シーソ型部材５０の構成について、図１を参照して説明する。
【００４０】
シーソ型部材５０は、左右方向（発電レバー１２を備える、対向する２つの側面１６に対して垂直方向）に伸びている板状の本体部５１を備える。また、シーソ型部材５０には、シーソ型部材５０が回動するための軸部５２と、無線スイッチモジュール１０のタクトボタン部１１を押下げるタクトボタン操作突起部５３と、発電レバー１２を押下げる発電レバー操作突起部５４と、ユーザがシーソ型部材５０を押下げすぎないように制限する押込み制限突起部５５とが、（ユーザが押下げる操作面である）上面５６の反対側の下面５７に配されている。軸部５２は、シーソ型部材５０の左右方向の中間部分にあり、軸方向は前後方向に伸びている。シーソ型部材５０は、一端部が押下げられることにより、軸部５２を支点として回動するように、変形しない材質から形成されており、例えば、樹脂成型品である。
【００４１】
無線スイッチ装置１をユーザが操作しやすく、かつ無線スイッチ装置１のデザイン性が優れているように、シーソ型部材５０の上面５６は、凹型に湾曲した形状に形成されている。湾曲形状により、梃子の原理でユーザは、シーソ型部材５０の一端部を容易に（すなわち、小さな力で）押下げることができる。湾曲形状、例えば、弓なりに反り上がる形状は、シーソ型部材５０の回動をユーザに顕著に示し、優美な外観を備えるため、湾曲形状のシーソ型部材５０は、機能的にも美観的にもデザイン性に優れている。この点を考慮しなければ、上面５６が凹型に湾曲している必要は必ずしもない。
【００４２】
（無線スイッチモジュール１０の防水）
以下に、無線スイッチモジュール１０の防水について、図１を参照して説明する。
【００４３】
シーソ型部材５０の軸部５２は、ケース部材３０の軸受部３４と、カバー部材４０の軸受部４１とにより回動可能に嵌め込まれ（接続され）ている。このため、シーソ型部材５０は、無線スイッチモジュール１０に直接接触していない。このように、シーソ型部材５０が、防水部材２０およびカバー部材４０の上側（ケース部材３０の外側）に取り付けられている。
【００４４】
また、防水部材２０とシーソ型部材５０との間には、カバー部材４０が配されており、シーソ型部材５０は、軸部５２において、カバー部材４０の軸受部４１に回動可能に支持されている。そして、シーソ型部材５０のタクトボタン操作突起部５３は、直接的には、防水部材２０のタクトボタン用変形部２５に接触し、シーソ型部材５０が押下されたときに、間接的に無線スイッチモジュール１０のタクトボタン部１１を押下げることができる。同様に、シーソ型部材５０の発電レバー操作突起部５４も、直接的には、防水部材２０の発電レバー用変形部２４と接触し、シーソ型部材５０が押下されたときに、間接的に無線スイッチモジュール１０の発電レバー１２を押下げることができる。
【００４５】
したがって、シーソ型部材５０は無線スイッチモジュール１０から隔離されているが、ユーザはシーソ型部材５０を押下することで、無線スイッチモジュール１０のスイッチ機能、発電機能および無線通信機能を実行することができる。
【００４６】
防水部材２０は、無線スイッチモジュール１０が格納されているケース部材３０の開口部３７を覆う。さらに、カバー部材４０は、防水部材２０の上から、ケース部材３０に対して固定されている。これにより、（ｉ）防水部材２０の外縁部２１が挟まれているケース部材３０の側壁部３２とカバー部材４０の外縁部４２との間、および（ｉｉ）防水部材２０の開口部２２の縁部が挟まれている無線スイッチモジュール１０の上面１４とカバー部材４０の軸受部４１の下側に設けられた閉塞部との間は、水が漏れないように密着する。したがって、防水部材２０とカバー部材４０とは共同して（密閉部材として）、無線スイッチモジュール１０が格納されているケース部材３０の開口部３７を、水が透過できないように密閉（つまり、防水）している。
【００４７】
以上のように、無線スイッチモジュール１０が格納されたケース部材３０と、ケース部材３０の開口部３７を密閉する防水部材２０およびカバー部材４０とによって、自己発電型の無線スイッチモジュール１０が密閉されている。また、無線スイッチモジュール１０を密閉した防水部材２０およびカバー部材４０の上側にシーソ型部材５０が配されている。それゆえ、本実施形態１に係る無線スイッチ装置１によれば、無線スイッチモジュール１０のスイッチの機能を維持しつつ、シーソ型部材５０を含む無線スイッチ装置１全体を防水するのではなくその内部にある無線スイッチモジュール１０を防水することができる。
【００４８】
また、無線スイッチ装置１は配線レスでスイッチ制御を行うことが可能であるため、洗練されたオフィス、ホテルまたはカフェ等において好適に使用することができる。さらに、無線スイッチ装置１は防水機能を有しているため、屋外（例えば屋外テラス）またはサニタリー周り（例えばバスルーム）において好適に使用することができる。
【００４９】
また、無線スイッチ装置１は、（ｉ）無線スイッチモジュール１０を覆い、発電レバー用変形部２４を含む防水部材２０と、（ｉｉ）防水部材２０とシーソ型部材５０との間に配され、シーソ型部材５０の軸部５２が回動可能に接続される軸受部４１を有するカバー部材４０と、を備える。無線スイッチモジュール１０は、軸受部４１が接続される軸受部１３を備え、防水部材２０には、軸受部４１と軸受部１３とを接続可能とするための開口部２２（開口）が形成されている。そして、カバー部材４０は、開口部２２を密閉する。
【００５０】
上記構成によれば、無線スイッチモジュール１０が防水部材２０およびカバー部材４０を介して軸部５２を支持するために、防水部材２０に開口部２２が形成されている場合であっても、無線スイッチモジュール１０を密閉することができる。したがって、シーソ型部材５０の回動機能（すなわち、シーソ型部材５０の操作機能）を維持しつつ、無線スイッチモジュール１０を防水することができる。
【００５１】
また、開口部２２を介して軸受部４１と軸受部１３とを接続する構成により、防水部材２０に開口部２２を形成しない場合にシーソ型部材５０を押下したときに、カバー部材４０の軸受部４１付近（中心付近）が浮き上がってしまうという現象が生じることを防止することができる。それゆえ、上記中心付近が浮き上がることにより、タクトボタン部１１が押しにくくなることを防止することができる。
【００５２】
（開口部２２と軸受部４１、１３との関係）
以下に、防水部材２０の開口部２２と、カバー部材４０の軸受部４１（および閉塞部）と、無線スイッチモジュール１０の軸受部１３との、相対的な位置関係および大小関係について、説明する。
【００５３】
防水部材２０の開口部２２は、無線スイッチモジュール１０の上面１４にある軸受部１３に、カバー部材４０の軸受部４１の下側の閉塞部を、嵌め込むことが可能なように、開口する。したがって、本実施形態では、開口部２２は、無線スイッチモジュール１０の軸受部１３に対向する位置、具体的には、軸受部１３の直上に設けられている。また、防水性の観点から、開口部２２は、なるべく小さいことが好ましい。このため、開口部２２の大きさは、軸受部１３と同等か、軸受部１３より少し大きい範囲内にあることが好ましい。
【００５４】
カバー部材４０の閉塞部は、開口部２２を通って無線スイッチモジュール１０の軸受部１３に接続されている。したがって、本実施形態では、カバー部材４０の閉塞部は、開口部２２と同様に、無線スイッチモジュール１０の軸受部１３に対向する位置、具体的には、軸受部１３の直上に設けられている。また、カバー部材４０の閉塞部は、開口部２２を水が透過できないように塞ぐ。このため、カバー部材４０の閉塞部のうち、開口部２２の縁部を上側から押さえる部位の大きさは、開口部２２の大きさよりも一回り以上大きく、開口部２２を通って無線スイッチモジュール１０の軸受部１３に接続される部位の大きさは、開口部２２の大きさ以下である。
【００５５】
カバー部材４０の軸受部４１の回転中心軸は、無線スイッチモジュール１０の軸受部１３の回転中心軸と、上面視において一致することが好ましい。したがって、軸受部４１全体も、軸受部１３に対向する位置、具体的には、軸受部１３の直上に設けられていることが好ましい。
【００５６】
（無線スイッチ装置１の動作）
以下に、無線スイッチ装置１の動作について、図３および図４を参照して説明する。
【００５７】
図３は、図１に示した無線スイッチ装置１の動作を説明するために、無線スイッチ装置１の外観を示す概略斜視図である。図３の（ａ）は、シーソ型部材５０が自由位置にある自由状態の無線スイッチ装置１を示し、図３の（ｂ）は、シーソ型部材５０が動作位置にある動作状態の無線スイッチ装置１を示す。また、図３の（ｃ）は、図３の（ａ）に示す無線スイッチ装置１の変形例である。
【００５８】
本実施形態では、図２に示すように、無線スイッチモジュール１０にはタクトボタン部１１が４つ設けられている。そして、図３の（ａ）および（ｂ）に示すように、無線スイッチ装置１は２つのシーソ型部材５０を備え、２つのシーソ型部材５０は、それぞれ左右方向に配された２つのタクトボタン部１１を押下可能なように配されている。４つのタクトボタン部１１にはそれぞれ所定の情報（例えば照明のＯＮ，ＯＦＦ、空調設備のＯＮ、ＯＦＦ）が対応付けられており、押下されることによりその情報が示す動作が実行される。押下されたタクトボタン部１１の情報は、無線通信にて上位機器（例えば照明または空調設備の制御装置）に送信される。
【００５９】
なお、シーソ型部材５０はタクトボタン部１１を押下できればよく、例えば図３の（ｃ）に示すように１つの板状部材から構成されてもよい。この場合、押下されるタクトボタン部１１は、４つのタクトボタン部１１のうち、左右方向に配された２つのタクトボタン部１１のみである。したがって、当該２つのタクトボタン部１１のみを押下可能なように、シーソ型部材５０にはタクトボタン操作突起部５３が設けられる。すなわち、図３の（ａ）の構成では、２つのスイッチ機能の実行が実現されるが、図３の（ｃ）では１つのスイッチ機能の実行が実現される。また、タクトボタン部１１の数も適宜変更可能である。
【００６０】
図３の（ａ）に示すように、ユーザが無線スイッチ装置１を操作していないとき、すなわち、何れのシーソ型部材５０の端部もユーザにより押下げられていないとき、シーソ型部材５０は全て自由位置にある。そして、図３の（ｂ）に示すように、ユーザが無線スイッチ装置１を操作すると、すなわち、シーソ型部材５０の（右側または左側の）一端部がユーザにより押下げられると、操作されたシーソ型部材５０は、動作位置へと回動する。
【００６１】
このようなときの無線スイッチ装置１内部の動作を、図４を参照して説明する。
【００６２】
図４は、図１に示した無線スイッチ装置１の動作を説明するために、無線スイッチ装置１の簡略化した構成を示す概略構成図である。なお、図４においては、防水部材２０、ケース部材３０、および外装８０を省略しており、カバー部材４０も一部省略している。図４の（ａ）および（ｂ）も、図３と同様に、それぞれ自由状態および動作状態の無線スイッチ装置１を示す。
【００６３】
図４の（ａ）に示すように、シーソ型部材５０が自由位置にあるとき、シーソ型部材５０のタクトボタン操作突起部５３は、無線スイッチモジュール１０のタクトボタン部１１を押下げていない。同様に、発電レバー操作突起部５４も発電レバー１２を押下げていない。
【００６４】
そして、図４の（ｂ）に示すように、シーソ型部材５０の一端部が押下げられると、シーソ型部材５０は、軸部５２を支点として回動するので、押下げられた側にあるタクトボタン操作突起部５３および発電レバー操作突起部５４は、下向きに変位する。下向きの変位によって、タクトボタン操作突起部５３は、（防水部材２０の対応するタクトボタン用変形部２５を変形させながら、）無線スイッチモジュール１０の対応するタクトボタン部１１を押下げて、対応するタクトボタン部１１をＯＮにする。同様に、発電レバー操作突起部５４も、（防水部材２０の対応する発電レバー用変形部２４を変形させながら、）対応する発電レバー１２を押下げて、無線スイッチモジュール１０の本体部１７内部の発電ユニットに発電させる。なお、２つの発電レバー１２は連動するように構成されている。そのため、一方の発電レバー操作突起部５４が一方の発電レバー１２を押し下げることにより、他方の発電レバー操作突起部５４によって押し下げられていない他方の発電レバー１２も押下がる。
【００６５】
これにより、本体部１７内部の無線通信ユニットは、シーソ型部材５０の押下げられた一端部に対応するタクトボタン部１１がＯＮになったことを受けて、発電ユニットが発電した電力により、無線通信を行う。さらに、ユーザが発電レバー１２の一端部を押下げるには、比較的大きな力が必要であるため、タクトボタン部１１のみを押下げるだけでは得られない操作感を、シーソ型部材５０の一端部を押下げたユーザは得ることができる。
【００６６】
そして、ユーザがシーソ型部材５０から手を離すと、発電レバー１２は、発電レバー操作突起部５４を押し上げるので、シーソ型部材５０は自由位置に復帰し、タクトボタン操作突起部５３も、変位する前の位置に復帰する。これとともに、変形した発電レバー用変形部２４およびタクトボタン用変形部２５は、弾力によって、元の形状に戻る。また、タクトボタン部１１も押下げられた状態でなくなり、ＯＦＦになる。
【００６７】
図４に図示を省略した防水部材２０は、繰り返し変形可能であるので、シーソ型部材５０と発電レバー１２との上述の一連の運動は繰り返し可能である。また、防水部材２０は、容易に変形可能であるので、シーソ型部材５０を操作するユーザが得る操作感を損なわない。
【００６８】
以上のように、無線スイッチ装置１は、ロッカースイッチとして機能する。
【００６９】
〔実施形態２〕
本発明の他の実施形態について、図５〜図７に基づいて説明すれば、以下のとおりである。なお、説明の便宜上、前記実施形態にて説明した部材と同じ機能を有する部材については、同じ符号を付記し、その説明を省略する。
【００７０】
図５は、本発明の実施形態２に係る無線スイッチ装置２の概略部分断面図である。図５においては、無線スイッチ装置２が備える外装８０を省略し、シーソ型部材５０が自由位置にある状態を示す。
【００７１】
図５に示すように、無線スイッチ装置２は、無線スイッチモジュール１０と、無線スイッチモジュール１０が格納されるケース部材３０と、ケース部材３０の開口部３７を覆う防水部材２０と、防水部材２０を上から押さえるカバー部材４０と、無線スイッチモジュール１０のタクトボタン部１１および発電レバー１２を操作するシーソ型部材５０と、外装８０（図示せず）と、を備える。さらに、無線スイッチ装置２は、防水部材２０およびカバー部材４０によって密閉されたケース部材３０内部に、中間部材６０を備える。
【００７２】
図５に示す無線スイッチ装置２は、次の２点においてのみ、図１に示す無線スイッチ装置１から異なる。１点は、中間部材６０を備えることであり、もう１点は、防水部材２０の発電レバー用変形部２４が上向きに凸になるように突設されていることである。その他の点については、図５に示す無線スイッチ装置２は、図１に示す無線スイッチ装置１と同一または同等である。
【００７３】
（中間部材６０）
以下に、中間部材６０の構成について、図５および図６を参照して説明する。図６は、図５に示した無線スイッチ装置２が備える中間部材６０を示す概略斜視図である。
【００７４】
図６に示すように、中間部材６０は、発電レバー１２の上端部と防水部材２０との間に配され、発電レバー操作突起部５４の変位に伴い発電レバー１２を押下する。中間部材６０は、仲介突起部６１と、仲介突起部６１を搖動可能に支持するための支持囲繞部６２（囲繞構造を有する部分）と、支持脚部６３（脚部）と、を備える。また、本実施形態では、中間部材６０は、無線スイッチモジュール１０と、ケース部材３０と、防水部材２０およびカバー部材４０との間の隙間に格納されることができる形状である。例えば、中間部材６０は、樹脂成型品である。
【００７５】
仲介突起部６１は、支持囲繞部６２の上面に、無線スイッチモジュール１０の発電レバー１２に対応するように、支持囲繞部６２の互いに対向する左右の辺の上に２つずつ配置されている。仲介突起部６１の高さ（上下方向の長さ）は、（ｉ）無線スイッチモジュール１０の左右の側面１６の高さＨ１（図７参照）と、（ｉｉ）無線スイッチモジュール１０の発電レバー１２が最も押し下げられた位置（最下点）における発電レバー１２の上端部の高さＨ２（図７参照）と、の差分以上である。
【００７６】
支持囲繞部６２は、無線スイッチモジュール１０とケース部材３０との間に納まるような囲繞構造を有する。具体的には、支持囲繞部６２の囲繞構造は、無線スイッチモジュール１０の周囲を取り囲むことができるように、上側から見た無線スイッチモジュール１０の形状よりも内側形状が大きく、かつ、ケース部材３０の側壁部３２内に納まるように、上側から見た開口部３７の形状よりも外側形状が小さい構造である。また、支持囲繞部６２は、仲介突起部６１が上下に揺動できるように、可撓性を有する。
【００７７】
支持脚部６３は、支持囲繞部６２から下向きに伸びており、中間部材６０を安定的に支持するために下端部が広くなっている。さらに、支持脚部６３は、仲介突起部６１が揺動可能な範囲を広げるために、または仲介突起部６１が比較的小さな力で揺動できるように、仲介突起部６１から、なるべく離れた位置で、支持囲繞部６２に接続されている。また、仲介突起部６１が設けられている支持囲繞部６２の左右の辺が、同等に揺動しやく、かつ捩じれずに前後方向に平行なまま揺動するように、支持脚部６３は、左右対称になるように支持囲繞部６２に接続されている。このため、支持脚部６３は、仲介突起部６１が配置されている支持囲繞部６２の左右の辺と異なる支持囲繞部６２の前後の辺の中間部分に、互いに対向するように配置されていることが好ましい。
【００７８】
このように、支持脚部６３は、支持囲繞部６２に接続されている。そして、支持脚部６３は、押下されない状態において、支持囲繞部６２と無線スイッチモジュール１０との相対位置関係を維持する。そのため、支持脚部６３が無い場合に生じ得る、中間部材６０の自重による、ユーザが意図しない発電レバー１２の押下を防止することができる。
【００７９】
なお、上述に限らず、中間部材６０は、発電レバー用変形部２４と発電レバー１２の上端部との間に、上述の差分Ｈ１−Ｈ２以上の高さを有する部分を上下に揺動可能に保持できれば、どのような構成であってもよい。
【００８０】
（無線スイッチ装置２の動作）
以下に、無線スイッチ装置２の動作について説明する。
【００８１】
図５に示す無線スイッチ装置２の動作は、仲介突起部６１が、（ｉ）シーソ型部材５０の発電レバー操作突起部５４が無線スイッチモジュール１０の発電レバー１２を押下げることと、（ｉｉ）発電レバー１２が発電レバー操作突起部５４を押上げることと、を仲介することを除き、上述の図１に示す無線スイッチ装置１と同等である。
【００８２】
より具体的に言うと、図５に示す無線スイッチ装置２において、ユーザがシーソ型部材５０の一端部を押下げたとき、下向きの変位によって、発電レバー操作突起部５４は、（防水部材２０の対応する発電レバー用変形部２４を変形させながら、）中間部材６０の対応する仲介突起部６１を押下げる。そして、押下げられた仲介突起部６１は、無線スイッチモジュール１０の対応する発電レバー１２を押下げる。そして、ユーザがシーソ型部材５０から手を離すと、発電レバー１２は、仲介突起部６１を押し上げ、押し上げられた仲介突起部６１が、発電レバー操作突起部５４を押し上げる。
【００８３】
（発電レバー用変形部２４の形状）
以下に、防水部材２０の発電レバー用変形部２４の形状について図７を参照して説明する。
【００８４】
図７は、図１および図５に示した無線スイッチ装置１，２が動作状態にあるときの、より詳しく言えば、発電レバー１２が最下点にあるときの、押下げられている発電レバー操作突起部５４および発電レバー１２の付近を拡大して示す部分拡大図である。図７の（ａ）は、図１に示した無線スイッチ装置１を示し、図７の（ｂ）は、図５に示した無線スイッチ装置２を示す。
【００８５】
図７の（ａ）に示した無線スイッチ装置１においては、防水部材２０の発電レバー用変形部２４と、無線スイッチモジュール１０の発電レバー１２の上端部との間に、中間部材６０の仲介突起部６１が介在していない。また、防水部材２０は、容易に繰り返し変形可能なように薄い。このため、発電レバー操作突起部５４の下端部は、少なくとも発電レバー１２が押下された状態においては、無線スイッチモジュール１０の上面１４よりも下側まで下がる必要があり、これに伴い、防水部材２０の発電レバー用変形部２４は、下向きに凸な形状となる。
【００８６】
この場合、発電レバー操作突起部５４は、少なくとも発電レバー１２が押下されたときには、無線スイッチモジュール１０の上面１４よりも下側（無線スイッチモジュール１０側）に入り込み、無線スイッチモジュール１０側に押し込まれる。これにより、防水部材２０の厚み、材質、本体部１７と発電レバー操作突起部５４との近接具合等によっては、本体部１７と発電レバー用変形部２４との間において摩擦が発生する可能性がある。
【００８７】
このような摩擦が発生すると、無線スイッチ装置１を操作するユーザは、本来（摩擦がない場合）よりも、余分に大きな力で、シーソ型部材５０の一端部を押下げなければならなくなる。さらに、発電レバー１２が発電レバー操作突起部５４を押し上げる力と比較して、咬み込みによる摩擦力が大きい場合、結果として、ユーザがシーソ型部材５０から手を離しても、発電レバー１２は発電レバー操作突起部５４を十分に押し上げることができなくなる。これにより、シーソ型部材５０も発電レバー１２も押下げられる前の自由位置に復帰できなくなり、無線スイッチ装置１がスイッチとして機能しなくなる可能性がある。また、摩擦によって、防水部材２０が摩耗または破損することにより、無線スイッチ装置１の防水機能が損なわれる可能性もある。
【００８８】
これに対して、図７の（ｂ）に示す無線スイッチ装置２においては、中間部材６０の仲介突起部６１が防水部材２０の発電レバー用変形部２４と、無線スイッチモジュール１０の発電レバー１２の上端部と、の間に介在している。また、仲介突起部６１の高さは、無線スイッチモジュール１０の左右の側面１６の高さＨ１と、最下点における発電レバー１２の上端部の高さＨ２と、の差分以上である。このため、発電レバー１２が最も押し下げられた状態であっても、シーソ型部材５０の発電レバー操作突起部５４の下端部は、無線スイッチモジュール１０の上面１４と同じ高さか、より高い位置にある。したがって、発電レバー用変形部２４が、本体部１７と発電レバー操作突起部５４との間に挟み込まれて、摩擦を発生させることはない。
【００８９】
以上のように、発電レバー１２と防水部材２０との間に中間部材６０を設けることにより、上記のような摩擦の発生を抑制することができる。それゆえ、上記のようにシーソ型部材５０を大きな力で押下する必要がない。また、シーソ型部材５０を自由位置へ復帰させることができ、防水機能が損なわれることも無い。
【００９０】
さらに、仲介突起部６１の高さが上記差分Ｈ１−Ｈ２以上であることによって、上記のように防水部材２０（具体的には発電レバー用変形部２４）が本体部１７の上面１４よりも下側に押し込まれることが無い。それゆえ、上記摩擦によるスイッチの操作性の低下を確実に防止することができる。
【００９１】
（組立）
以下に、無線スイッチ装置２の組立工程について、図８を参照して説明する。図８は、図５に示す無線スイッチ装置２の組立工程を説明するための概略斜視図である。
【００９２】
図８の（ａ）に示すように、まず、ケース部材３０内部に、無線スイッチモジュール１０を格納した状態を示す。ケース部材３０の鍔部３３には、ネジ通し孔３５およびボス３６が設けられている。無線スイッチモジュール１０の上面１４がケース部材３０の開口部３７側または上側を向くように、無線スイッチモジュール１０はケース部材３０の底部３１に載置される。
【００９３】
図８の（ｂ）に示すように、次に、ケース部材３０内部に、さらに中間部材６０を格納する。ここにおいて、支持脚部６３（図６参照）はケース部材３０の底部３１に立てられており、無線スイッチモジュール１０の前後の側面１６とケース部材３０の前後の側壁部３２との間に入っている。仲介突起部６１は、無線スイッチモジュール１０の発電レバー１２の上方に位置している。
【００９４】
図８の（ｃ）に示すように、次に、防水部材２０を、ケース部材３０の開口部３７を覆うように載置する。防水部材２０には、位置決めのためのボス通し孔２６が設けられている。ボス通し孔２６に、ケース部材３０のボス３６を通すことにより、防水部材２０は適切に（具体的には、発電レバー用変形部２４が発電レバー１２の上方に位置し、タクトボタン用変形部２５がタクトボタン部１１の上方に位置し、開口部２２が無線スイッチモジュール１０の上面１４にある軸受部１３の上に位置し、外縁部２１がケース部材３０の側壁部３２の上端部の上に位置するように）位置決めされる。
【００９５】
図８の（ｄ）に示すように、次に、カバー部材４０を、防水部材２０の上に載置する。カバー部材４０には、ネジ止めのためのネジ孔４３と、ボス通し溝４５とが設けられている。ボス通し溝４５には、ケース部材３０のボス３６が嵌まる。カバー部材４０の下部にある閉塞部（図示せず）は、防水部材２０の開口部２２を塞ぎ、無線スイッチモジュール１０の軸受部１３に嵌まる。
【００９６】
さらに、四隅にあるケース部材３０のネジ通し孔３５およびカバー部材４０のネジ孔４３において、ネジ７０によって、ケース部材３０とカバー部材４０とを螺合または固定する。この固定によって、ケース部材３０とカバー部材４０との間に挟まれている防水部材２０および無線スイッチモジュール１０も固定される。この固定によって、ケース部材３０の側壁部３２の上端部と、カバー部材４０の外縁部４２および閉塞部と、無線スイッチモジュール１０の軸受部１３近傍と、が防水部材２０に密着する。この密着によって、無線スイッチモジュール１０は、ケース部材３０内部に、防水部材２０およびカバー部材４０によって密閉される。
【００９７】
図８の（ｅ）に示すように、次に、１つのシーソ型部材５０が、カバー部材４０の軸受部４１およびケース部材３０の軸受部３４に、軸部５２において嵌め込まれる。さらに、残りのシーソ型部材５０が、同様にして、軸受部４１および軸受部３４に嵌め込まれる。例えば、前後方向にシーソ型部材５０が３つ以上並ぶ場合、最も前または後に位置するシーソ型部材５０は、軸受部４１および軸受部３４の両方に嵌め込まれ、その他のシーソ型部材５０は、軸受部４１のみに嵌められる。
【００９８】
最後に、図８の（ｆ）に示すように、ケース部材３０を覆う外装８０を、ケース部材３０に取り付ける。ここにおいて、ケース部材３０の軸受部３４の両脇にあるネジ通し孔３５、カバー部材４０の軸受部４１の両脇にあるネジ孔４３、および外装８０のネジ通し孔において、ネジ７０によって、ケース部材３０とカバー部材４０と外装８０とを固定する。
【００９９】
〔変形例〕
実施形態１および２では、防水部材２０は、無線スイッチモジュール１０の上面１４に形成された軸受部１３と対向する位置において開口部２２を備えているが、開口部２２を備えている必要は必ずしもない。この場合、防水部材２０を上面１４の軸受部１３に密着させることが可能となる。また、カバー部材４０の軸受部４１の下側に、軸受部１３と接続可能な閉塞部を設ける必要が無い。
【０１００】
このような構成の場合、カバー部材４０と無線スイッチモジュール１０とが軸受部１３において接続されない。しかしながら、カバー部材４０は、シーソ型部材５０の軸部５２と接続される軸受部４１を備えているので、軸受部４１に接続された軸部５２を支点としてシーソ型部材５０を回動させることができる。
【０１０１】
したがって、防水部材２０に開口部２２が無く、カバー部材４０に閉塞部が無い構成であっても、無線スイッチ装置１および２をロッカースイッチとして機能させることができる。
【０１０２】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０３】
１、２  無線スイッチ装置（スイッチ）
１０  無線スイッチモジュール（通信モジュール）
１２  発電レバー（可動部）
１４  上面
１６  側面
２０  防水部材（密閉部材）
２４  発電レバー用変形部（突出部と接触する部分）
３０  ケース部材（筐体）
３７  開口部
４０  カバー部材（密閉部材）
４１  軸受部（接続部）
５０  シーソ型部材（操作部）
５１  本体部（板状部材）
５２  軸部（中間部分）
５４  発電レバー操作突起部（突出部）
５６  上面（操作面）
５７  下面（操作面とは反対側の面）
６０  中間部材
６１  仲介突起部（可動部と密閉部材との間に介在する部分）
６２  支持囲繞部（囲繞構造を有する部分）
６３  支持脚部（脚部）
Ｈ１  無線スイッチモジュールの左右の側面の高さ（通信モジュールの側面の高さ）
Ｈ２  最下点における発電レバーの上端部の高さ（押下された状態における可動部の高さ）
【図１】
0006664740.tif 000002
【図２】
0006664740.tif 000003
【図３】
0006664740.tif 000004
【図４】
0006664740.tif 000005
【図５】
0006664740.tif 000006
【図６】
0006664740.tif 000007
【図７】
0006664740.tif 000008
【図８】
0006664740.tif 000009
【図９】
0006664740.tif 000010